(57)【要約】【課題】  回転操作ハンドルを操作しないときは、把手が常に回転操作ハンドルの回転軸より上方に位置し、もって、台車等が把手に当接するのを未然に防止しうるようにした手動式移動棚装置を提供する。【解決手段】把手５が移動棚２の側壁２ａより外方に突出し、かつ水平の回転軸を中心として回転するようにした回転操作ハンドル４を、噛合状態と非噛合状態とに切り換え可能な可能なクラッチ及び伝動手段１０を介して、移動棚２の車輪に連係し、クラッチの噛合状態において、回転操作ハンドル４を回転させることにより、車輪を回転させて、移動棚２を移動させうるようにした手動式移動棚装置において、クラッチの非噛合状態において、回転操作ハンドル４を、把手５が回転軸より上方に位置する停止位置に位置させる錘等の停止手段を設ける。【選択図】        図１
2005119862.tif 000002
【特許請求の範囲】
【請求項１】
把手が移動棚の側壁より外方に突出し、かつ水平の回転軸を中心として回転するようにした回転操作ハンドルを、噛合状態と非噛合状態とに切り換え可能な可能なクラッチ及び伝動手段を介して、移動棚の車輪に連係し、前記クラッチの噛合状態において、前記回転操作ハンドルを回転させることにより、前記車輪を回転させて、移動棚を移動させうるようにした手動式移動棚装置において、
前記クラッチの非噛合状態において、前記回転操作ハンドルを、前記把手が回転軸より上方に位置する停止位置に位置させる停止手段を設けたことを特徴とする手動式移動棚装置。
【請求項２】
停止手段が、回転操作ハンドルを、その把手が上方に位置するように付勢する付勢手段を備えている請求項１記載の手動式移動棚装置。
【請求項３】
付勢手段を、回転操作ハンドルにおける重心を、回転軸に関して把手と反対側に設けることにより、回転操作ハンドルの自重により形成した請求項２記載の手動式移動棚装置。
【請求項４】
付勢手段を、回転操作ハンドルにおいて、回転軸に関して把手と反対側に設けた錘とした請求項２または３記載の手動式移動棚装置。
【請求項５】
付勢手段を、回転操作ハンドルと移動棚の側壁との間に設けたばねとした請求項２記載の手動式移動棚装置。
【請求項６】
停止手段を、回転操作ハンドルが停止位置に停止したときに互いに対向または近接する回転操作ハンドルと移動棚の側壁との各部位に設けられ、互いに吸着または反発し合うことにより、回転操作ハンドルを停止位置に保持または付勢する永久磁石とした請求項１記載の手動式移動棚装置。
【請求項７】
回転操作ハンドルを回転軸方向に若干移動可能として移動棚の側壁に装着するとともに、停止手段を、移動棚の側壁に設けられ、かつ前記回転操作ハンドルが停止位置に位置しているときに嵌合可能で、嵌合することにより、回転が阻止されるようにした凹部とした請求項１記載の手動式移動棚装置。
【請求項８】
クラッチを、回転操作ハンドルを回転させることにより噛合状態となり、回転操作ハンドルを停止位置で停止させることにより非噛合状態となるようにした型式のものとした請求項１〜７のいずれかに記載の手動式移動棚装置。
【発明の詳細な説明】
【技術分野】
【０００１】
本発明は、回転操作ハンドルを手動で回転させることにより、移動棚を移動させることができるようにした手動式移動棚装置に関する。
【背景技術】
【０００２】
従来のこの種の手動式移動棚装置には、把手が移動棚の側壁より外方に突出し、かつ水平の回転軸を中心として回転するようにした回転操作ハンドルを、クラッチ及び伝動手段を介して、移動棚の車輪に連係し、回転操作ハンドルを回転させることにより、クラッチが噛合状態となり、回転操作ハンドルの回転力が車輪に伝達され、移動棚を手動で移動させることができるようにしたものがある(例えば特許文献１参照)。
【０００３】
また、移動棚の側壁より外方に突出する把手を、折り畳むことにより、回転操作ハンドルをロックするようにしたものもある（例えば特許文献２参照）。
【特許文献１】実公昭６０−６２６１号公報（図２〜図５）
【特許文献２】実公昭５９−５３８２号公報（図３及び図４）
【発明の開示】
【発明が解決しようとする課題】
【０００４】
しかし、特許文献１に記載されているものにおいては、移動棚が停止しているときは、把手は、通常回転操作ハンドルの回転軸の直下の位置から外方に突出しているので、この把手に、移動棚に出し入れする書籍や書類等を運搬する台車やワゴン等が当接し、把手や台車等が傷ついたり破損したりするおそれがある。
【０００５】
また、特許文献２に記載されているものにおいては、把手を折り畳んでおくことにより、上述のような台車等との当接等のおそれをなくすことができるが、折り畳むのを忘れた場合には、上記と同様のおそれがあり、また、把手を折り畳んだり、その動作により、回転操作ハンドルをロックしたりするための構造が複雑となり、高価となる等の問題がある。
【０００６】
本発明は、従来の技術が有する上記のような問題点に鑑み、回転操作ハンドルを手動で回転させて走行させる手動式移動棚装置において、回転操作ハンドルを操作しないときは、把手が常に回転操作ハンドルの回転軸より上方に位置し、もって、台車等が把手に当接するのを未然に防止しうるようにした手動式移動棚装置を提供することを目的としている。
【課題を解決するための手段】
【０００７】
本発明によると、上記課題は、次のようにして解決される。
(１) 把手が移動棚の側壁より外方に突出し、かつ水平の回転軸を中心として回転するようにした回転操作ハンドルを、噛合状態と非噛合状態とに切り換え可能な可能なクラッチ及び伝動手段を介して、移動棚の車輪に連係し、前記クラッチの噛合状態において、前記回転操作ハンドルを回転させることにより、前記車輪を回転させて、移動棚を移動させうるようにした手動式移動棚装置において、前記クラッチの非噛合状態において、前記回転操作ハンドルを、前記把手が回転軸より上方に位置する停止位置に位置させる停止手段を設ける。
【０００８】
(２)上記(１)項において、停止手段が、回転操作ハンドルを、その把手が上方に位置するように付勢する付勢手段を備えるものとする。
【０００９】
(３)上記(２)項において、付勢手段を、回転操作ハンドルにおける重心を、回転軸に関して把手と反対側に設けることにより、回転操作ハンドルの自重により形成する。
【００１０】
(４)上記(２)または(３)項において、付勢手段を、回転操作ハンドルにおいて、回転軸に関して把手と反対側に設けた錘とする。
【００１１】
(５)上記(２)項において、付勢手段を、回転操作ハンドルと移動棚の側壁との間に設けたばねとする。
【００１２】
(６)上記(１)項において、停止手段を、回転操作ハンドルが停止位置に停止したときに互いに対向または近接する回転操作ハンドルと移動棚の側壁との各部位に設けられ、互いに吸着または反発し合うことにより、回転操作ハンドルを停止位置に保持または付勢する永久磁石とする。
【００１３】
(７)上記(１)項において、回転操作ハンドルを回転軸方向に若干移動可能として移動棚の側壁に装着するとともに、停止手段を、移動棚の側壁に設けられ、かつ前記回転操作ハンドルが停止位置に位置しているときに嵌合可能で、嵌合することにより、回転が阻止されるようにした凹部とする。
【００１４】
(８)上記(１)〜(７)項のいずれかにおいて、クラッチを、回転操作ハンドルを回転させることにより噛合状態となり、回転操作ハンドルを停止位置で停止させることにより非噛合状態となるようにした型式のものとする。
【発明の効果】
【００１５】
(１)請求項１記載の発明によれば、回転操作ハンドルを操作しないときは、把手は、停止手段により、常に回転操作ハンドルの回転軸より上方に位置させられるので、台車等が把手に当接するのを未然に防止することができる。
【００１６】
(２)請求項２記載の発明によれば、クラッチが非噛合状態になると、回転操作ハンドルは、付勢手段の付勢力により、把手が上方に位置するように付勢され、自動的に停止位置に復帰させられる。
【００１７】
(３)請求項３記載の発明によれば、回転操作ハンドルの重心が特定の位置に位置するように回転操作ハンドルを設計するだけで、付勢手段を形成することができ、ばね等の特別の部材を設ける必要がないので、構造を簡素化しうるとともに、製造コストを低減することができる。
【００１８】
(４)請求項４記載の発明によれば、回転操作ハンドルの要所に錘を設けるだけで、付勢手段を簡単に形成することができ、従来の手動式移動棚装置にも簡単に適用することができる。
【００１９】
(５)請求項５及び６記載の発明によれば、付勢手段を簡単かつ安価に形成することができる。
【００２０】
(６)請求項７記載の発明によれば、回転操作ハンドルの不使用時に、回転操作ハンドルを移動棚側壁の凹部に嵌め込んで停止位置に固定することにより、把手を常に回転操作ハンドルの回転軸より上方に位置させることができ、上述の請求項１記載の効果と同様の効果を確実に奏することができる。
【００２１】
(７)請求項８記載の発明によれば、回転操作ハンドルを回転させるだけで自動的に噛合状態になり、また回転操作ハンドルを定位置で停止させるだけで自動的に非噛合状態になるので、クラッチの噛合状態と非噛合状態との切り替え作業を操作者が手作業で行う必要がなく、操作が容易である。
【発明を実施するための最良の形態】
【００２２】
図１は、本発明の第１の実施形態の斜視図である。レール(１)上には３台の移動棚(２)と、１台の固定棚(３)とが並列に配設されており、そのうち３台の移動棚(２)は、その側壁(2a)に設けた回転操作ハンドル(４)を、その把手(５)を掴んで、左右いずれかの方向に回転させることにより、レール(１)上を左右に移動させることができるようになっている。
【００２３】
各移動棚(２)の頂部上には、転倒防止用レール(６)が掛け渡されており、各移動棚(２)は、頂部に設けたリング(図示せず)を転倒防止用レール(６)に通してあるため、特に移動から停止の状態に至る際の転倒が防止される。収納物(７)は移動棚(２)の各棚板(８)上に載置されている。
【００２４】
移動棚(２)の内部において、回転操作ハンドル(４)の回転軸(12)(図２以降参照)には、スプロケット(９)が固嵌されており、このスプロケット(９)、およびレール(１)上の車輪(図示せず)と同軸の２個のスプロケット(10)には、チェーン(11)が掛け回されている。したがって、回転軸(12)が回転させられると、そのトルクは、チェーン(11)を介してスプロケット(10)に伝わり、レール(１)上の車輪が回転して移動棚(２)が走行する。スプロケット(９)(10)、及びチェーン(11)により、回転操作ハンドル(４)の回転力を車輪に伝達する伝動手段が形成されている。
【００２５】
図２は、図１に示した回転操作ハンドル(４)の内部機構を示す拡大断面図である。
回転操作ハンドル(４)の回転基部(4a)の中心に枢嵌された回転軸(12)には複数の歯(13)が形成された有歯円板(14)が固嵌されている。有歯円板(14)の周囲には、回転基部(4a)に突設された軸(15)を中心として回動可能で、歯(13)と歯合可能なフック(16a)を有する１対のフックアーム(16)(16)が、回転操作ハンドル(４)における半径方向に延出する柄(17)の中心線を回転軸(12)の反対側まで延長した延長線(18)に関して左右対称の位置に配置されている。各フックアーム(16)は、回転基部(4a)に設けられたハウジング(19)の内壁(19a)に突設された突起(20)に支持されるようにして配設されている。
【００２６】
フックアーム(16)(16)は、軸(15)寄りの端部に切欠き部(16b)(16b)を有し、この切欠き部(16b)(16b)に、左右の遊端角部(22a)(22b)が対向するように、ほぼ上方を向く拘束アーム(22)の下端部が、回転基部(4a)における延長線(18)上に、軸(21)をもって枢着されている。
【００２７】
ハウジング(19)と一体的に形成された柄(17)の先端には、把手(５)の枢軸(5a)がナット(23)により締結されている。拘束アーム(22)の近傍（回転軸(12)を挟んで柄(17)の反対側）のハウジング(19)内には、錘(24)が埋め込まれており、この錘(24)のため、回転操作ハンドル(４)の重心は図２における回転軸(12)の下方、すなわち回転軸(12)に関して把手(５)と反対側に位置し、回転操作ハンドル(４)は、フック(16a)(16a)が歯(13)に係合していない非噛合状態では、把手(５)が最上方に位置する停止位置に位置するようになっている。
すなわち、この錘(24)により、回転操作ハンドル(４)を停止位置に向かって付勢する付勢手段が形成されるとともに、回転操作ハンドル(４)を停止位置に位置させる停止手段が形成されている。
【００２８】
図３は、回転操作ハンドル(４)を、図２に示す状態から右回りに若干回転させたときの要部断面図である。
回転操作ハンドル(４)を矢印(25)で示すように右に回せば、静止慣性によって、拘束アーム(20)と両フックアーム(16)(16)は矢印(26)(27)(27)で示すように右方向に振れる。その結果、左のフック(16a)は外面(16c)で歯(13)と歯合して、クラッチの噛合状態となる。
このとき、拘束アーム(22)の左の遊端角部(22a)は左の切欠き部(16b)と対向する位置から外れて、衝合面(16c)に当接し、かつ右の遊端角部(22b)は右の切欠き部(16b)に当接して強固にブロックされるため、左のフック(16a)と歯(13)との歯合状態は、左右のフックアーム(16)(16)および拘束アーム(22)の位置関係によって保持される。
【００２９】
この状態で、回転操作ハンドル(４)の右回りの回転を継続すれば、左のフック(16a)は外面(16d)でその係止する歯(13)を押し続けるため、有歯円板(14)は回転操作ハンドル(４)と同様、矢印(28)で示すように右回りに回転する。すなわち、矢印(25)の方向における回転操作ハンドル(４)の回転速度 (イ)が、矢印(28)の方向における有歯円板(14)の回転速度(ロ) よりも大きい間は、左のフック(16a)と歯(13)の歯合は継続し、回転軸(12)が回転することにより、移動棚(２)は走行する。
【００３０】
図４は、図３の回転操作ハンドル(４)を停止させたときの要部断面図である。移動棚(２)を停止させるため、回転操作ハンドル(４)の回転速度を落としていくと、矢印(28)の方向へ慣性によって回転する有歯円板(14)の回転速度(ロ)が、矢印(25)の方向における回転操作ハンドル(４)の回転速度 (イ)（停止の場合は０）よりも大きくなる。すると、左のフック(16a)は、今まで歯合していた歯(13)よりも１つ後の歯(13’)とその内面(16e)において歯合し、この歯(13’)により回転軸(12)から離れる方向へ押動される。すると、左のフック(16a)は軸(15)の回りに矢印(29)で示すように回転して、有歯円板(14)との噛合が解かれ、クラッチ解除の状態、すなわち非噛合状態になる。
【００３１】
このとき、左のフックアーム(16)の衝合面(16c)は、拘束アーム(22)の左の遊端角部(22a)と摺動し、やがてこの遊端角部(22a)との当接が解消され、左の遊端角部(22a)は矢印(30)の方向に振れ戻って、再び左の切欠き部(16b)と対向する位置にくる。この間、回転操作ハンドル(４)は、錘(24)が最下方に位置するよう、左回りに回転するが、左のフック(16a)は有歯円板(14)と歯合していないため、移動棚(２)が逆戻りすることはない。
【００３２】
この例では、有歯円板(14)、１対のフックアーム(16)(16)、及び拘束アーム(22)により、回転操作ハンドル(４)を回転させることにより噛合状態となり、回転操作ハンドル(４)を停止位置で停止させることにより非噛合状態となるようにした型式のクラッチ(31)が形成されている。
【００３３】
図５と図６は、それぞれ本発明の第２および第３の実施形態の要部を示す右側面図である。前実施形態では、回転操作ハンドル(４)を停止位置に向けて付勢する付勢手段として、回転操作ハンドル(４)における把手(５)と反対側の端部に設けた錘(24)を用いたが、第２および第３の実施形態においては、それぞれ磁石及びばねを用いている。
【００３４】
図５の第２の実施形態においては、回転操作ハンドル(４)の柄(17)の先端部側にＮ極、そして回転操作ハンドル(４)の中心方向にＳ極が位置する磁石(41)を設け、他方、移動棚(２)の側壁(2a)には、停止位置で停止している回転操作ハンドル(４)の柄(17)の先端部よりやや上方にＳ極、これよりさらに上方にＮ極が位置する磁石(42)を設けてある。回転操作ハンドル(４)が静止状態にあるときは、磁石(41)のＮ極と磁石(42)のＳ極が互いに引き合って、回転操作ハンドル(４)は、把手(５)が最上方に位置する停止位置に保持される。
【００３５】
回転操作ハンドル(４)を回せば、第１の磁石(41)はこれとともに移動するが、回転操作ハンドル(４)の回転を止めれば、第１の磁石(41)のＮ極は、第２の磁石(42)のＳ極に引かれて、元の最上方の位置まで戻ってくる。両磁石(41)(42)のＮ極とＳ極は互いに逆にすることもできる。この間のクラッチの接合と解除、すなわち噛合状態と非噛合状態との関係は、前実施形態と同様である。
【００３６】
図６の第３の実施形態においては、停止位置としたときの回転操作ハンドル(４)の柄(17)の先端より上方における移動棚(２)の側壁(2a)にピン(51)を突設し、このピン(51)と、回転操作ハンドル(４)の柄(17)の先端に設けられた把手(５)の枢軸(5a)とに、付勢手段である引張コイルばね(52)の各端部を係止してある。
【００３７】
回転操作ハンドル(４)を回せば、引張コイルばね(52)はこれとともに伸張するが、回転操作ハンドル(４)の回転を止めれば、引張コイルばね(52)の引張力により、回転操作ハンドル(４)は、把手(５)が上方に位置する元の停止位置に復帰させられる。
【００３８】
よって、本発明によれば、回転操作ハンドルの停止後、何ら人為的な操作を必要とせずに、回転操作ハンドルは、把手が上方に位置する停止位置に復帰させられる。
【００３９】
図７は、本発明の第４の実施形態である手動式移動棚装置の周辺で収納物を運搬する際の様子を示す斜視図である。この実施形態においては、移動棚の側壁(2a)に、回転操作ハンドル(４)とほぼ同形の凹部(61)が形成されている。回転操作ハンドル(４)は、凹部(61)へ出し入れ可能となっており、使用しないときには、凹部(51)に収めておく。この出し入れは、手動で行うようにしてもよいし、ばね等により、把手(５)を離せば、自動的に凹部に引き込まれるようにしてもよい。
【００４０】
本実施形態によれば、収納物(62)を台車(63)に積み上げて、矢印(64)の方向に運搬する際、作業者(65)は、想像線で示す従来の回転操作ハンドル(67)のように、把手が真下に位置している場合は、矢印(66)に示すように、把手が収納物(62)に隠れて見えないため、回転操作ハンドル(67)に、収納物(62)を衝突させ、破損させてしまうおそれがあるが、実線で示すように、回転操作ハンドル(４)が、把手(５)が上方に位置する停止位置に位置していると、把手(５)を目視しうるだけでなく、把手(５)が、台車(63)に積載される収納物(62)の通常の高さより高いので、把手(５)に、収納物(62)を衝突させ、破損させてしまうおそれは極めて少ない。
この実施形態によれば、回転操作ハンドル(４)は停止時には、凹部(61)の中に納められているため、周辺での収納物(62)の運搬に支障をきたすおそれは一層少なくなる。
【００４１】
本発明は、上記の第１〜第４の実施形態のみの限定されるものではなく、幾多の変形が可能である。
例えば、クラッチを、上述のような特殊な構造のものではなく、手動の切り替え操作により、噛合状態と非噛合状態とに簡単に切り替えることができるようにした周知の構造のものとしたり、引張コイルばね(52)に代えて、圧縮コイルばねや板ばね等を用いることもできる。
【図面の簡単な説明】
【００４２】
【図１】本発明の第１の実施形態の斜視図である。
【図２】同じく回転操作ハンドルの拡大縦断正面図である。
【図３】同じく図２の回転操作ハンドルを回転させたときの要部の縦断正面図である。
【図４】同じく図３の回転操作ハンドルを停止させたときの要部の縦断正面図である。
【図５】本発明の第２の実施形態の要部の右側面図である。
【図６】本発明の第３の実施形態の要部の右側面図である。
【図７】本発明の第４の実施形態の周辺で収納物を運搬する際の様子を示す斜視図である。
【符号の説明】
【００４３】
(１)レール
(２)移動棚
(2a)側壁
(３)固定棚
(４)回転操作ハンドル
(4a)回転基部
(５)把手
(5a)枢軸
(６)転倒防止用レール
(７)収納物
(８)棚板
(９)(10)スプロケット
(11)チェーン(伝動手段)
(12)回転軸
(13)歯
(14)有歯円板
(15)軸
(16)フックアーム
(16a)フック
(16b)切欠き部
(16c)衝合面
(16d)外面
(16e)内面
(17)柄
(18)延長線
(19)ハウジング
(19a)内壁
(20)突起
(21)軸
(22)拘束アーム
(22a)(22b)遊端角部
(23)ナット
(24)錘(付勢手段、停止手段)
(25)(26)(27)(28)(29)(30)矢印
(31)クラッチ
(41)(42)磁石(付勢手段)
(51)ピン
(52)引張コイルばね(付勢手段)
(61)凹部(停止手段)
(62)収納物
(63)台車
(64)矢印
(65)作業者
(66)矢印
(66)従来の回転操作ハンドル
【図１】
2005119862.tif 000003
【図２】
2005119862.tif 000004
【図３】
2005119862.tif 000005
【図４】
2005119862.tif 000006
【図５】
2005119862.tif 000007
【図６】
2005119862.tif 000008
【図７】
2005119862.tif 000009